(57)【要約】【課題】  印刷ユニット間に版胴交換装置等を装備することなく、作業者の作業負荷を少なくして容易に版胴交換作業を行なうことができる版胴交換台車および印刷ユニットを提供することである。【解決手段】  版胴を交換すべき印刷ユニットの前に移動可能な台車本体と、上下方向に昇降する昇降手段を介して前記台車本体に水平に保持された版胴台保持具と、該版胴台保持具に水平方向に旋回する旋回手段を介して旋回可能に取り付けられた版胴台と、該版胴台に２本の版胴を水平方向に積載可能に取り付けられた版胴の周面を支持する版胴支持具と、版胴の水平方向および上下方向の積載位置を明示する水平位置決め具および上下位置決め具とを備えたことを特徴とする版胴交換台車。【選択図】        図１
2006175702.tif 000002
【特許請求の範囲】
【請求項１】
版胴を交換すべき印刷ユニットの前に移動可能な台車本体と、上下方向に昇降する昇降手段を介して前記台車本体に水平に保持された版胴台保持具と、該版胴台保持具に水平方向に旋回する旋回手段を介して旋回可能に取り付けられた版胴台と、該版胴台に２本の版胴を水平方向に積載可能に取り付けられた版胴の周面を支持する版胴支持具と、版胴の水平方向および上下方向の積載位置を明示する水平位置決め具および上下位置決め具とを備えたことを特徴とする版胴交換台車。
【請求項２】
印刷ユニットもしくは印刷ユニットの床面に請求項１記載の版胴交換台車を位置決めする版胴交換台車位置決め具が設けられたことを特徴とする印刷ユニット。
【発明の詳細な説明】
【技術分野】
【０００１】
本発明は、グラビア輪転印刷機の印刷ユニットにおける版胴交換台車に関し、さらに詳しくは、軸無し版胴用の版胴交換台車および印刷ユニットに関するものである。
【背景技術】
【０００２】
従来、グラビア輪転印刷機の版胴としては、両端にチャッキングコーン挿入用の穴を有する軸無し版胴が多く使用され、この軸無し版胴は印刷ユニットの両側のフレームに設けられたチャッキングコーンにより保持されるようになっている。そして、版胴の交換作業は、手動の昇降装置を備えた版胴交換台車を用いる方法が知られている。版胴交換台車を用いて版胴を交換する手順としては、印刷ユニットの版胴下方のインキパンおよびその関連配管等を取り除き、その位置に空の版胴交換台車を搬入すると共に版胴支持部を昇降装置により版胴の位置まで上昇させて版胴支持部に版胴を支持させた状態でチャッキングコーンを外して版胴支持部を昇降装置により下降させて版胴を降ろし、台車を印刷ユニット外に移動させ、次に、新しい版胴を積載した台車を印刷ユニット内に搬入し、版胴支持部を昇降装置により上昇させながら上下方向および前後方向の位置決めを目測で行なって、チャッキングコーンを装着するという手順である。
【０００３】
しかしながら、上記版胴交換作業は、動線距離が長く、また、新しい版胴をチャッキングコーンに装着する際の作業が煩雑であるという問題があり、版胴を交換するための版胴交換装置やこれに用いる版胴交換台車が提案されている（たとえば、特許文献１参照）。特許文献１に開示された技術は、印刷ユニットの版胴下方のインキパンおよびその関連配管等を取り除くことなく版胴交換を行なうことができるようにした版胴交換装置とこれに用いる版胴交換台車であり、作業負荷の軽減を図ることができるという効果を奏するものであるが、版胴交換装置を印刷ユニット間に装備しなければならず、それだけグラビア輪転印刷機のコストが高くなると共に版胴交換装置が印刷ユニット間に常備されているために、たとえば、ドクター筋等の印刷不良が発生した際には版胴交換装置側からドクターと版胴の間に挟まれた異物を除去する必要があり、異物除去作業の邪魔になる虞があるものであった。また、特許文献１の第７図に示された版胴交換台車は、印刷を終了した版胴（以下、旧版胴と呼称する）と新しい版胴（以下、新版胴と呼称する）とを積載できるようにしたものであり、版胴支持台を１８０度旋回させて新旧版胴の位置を入れ替え、その後に新版胴を印刷ユニットに取り付けるようにしたものであるが、版胴の円周や版胴の長さは一様ではないために、版胴交換台車から版胴交換装置に受け渡して、印刷ユニットの両側のフレームに設けられたチャッキングコーンに装着する際には、チャッキングコーンに対する上下方向および前後方向の位置を目視で確認しながら版胴交換装置の旋回を停止する必要があり、この作業も結構煩雑な作業であった。
【特許文献１】実公平３−１５３０５号公報
【発明の開示】
【発明が解決しようとする課題】
【０００４】
そこで本発明は、印刷ユニット間に版胴交換装置等を装備することなく、作業者の作業負荷を少なくして容易に版胴交換作業を行なうことができる版胴交換台車および印刷ユニットを提供することである。
【課題を解決するための手段】
【０００５】
本発明者等は、上記課題を達成するために、請求項１記載の本発明の版胴交換台車は、版胴を交換すべき印刷ユニットの前に移動可能な台車本体と、上下方向に昇降する昇降手段を介して前記台車本体に水平に保持された版胴台保持具と、該版胴台保持具に水平方向に旋回する旋回手段を介して旋回可能に取り付けられた版胴台と、該版胴台に２本の版胴を水平方向に平行に積載可能に取り付けられた版胴の周面を支持する版胴支持具と、版胴の水平方向および上下方向の積載位置を明示する水平位置決め具および上下位置決め具とを備えたことを特徴とするものである。
【０００６】
また、請求項２記載の本発明の印刷ユニットは、印刷ユニットもしくは印刷ユニットの床面に請求項１記載の版胴交換台車を位置決めする版胴交換台車位置決め具が設けられたことを特徴とするものである。
【発明の効果】
【０００７】
本発明の版胴交換台車は、新旧版胴を積載する版胴支持具を備えているために、新版胴を台車に設けられた水平位置決め具により台車に対して中心となる位置（印刷ユニットに設けられたチャッキングコーン間にスムーズに搬入できる位置）に積載した状態で、版胴を交換すべき印刷ユニットの前に移動させ、空の版胴支持具を旧版胴の下部に搬入すると共に空の版胴支持具を昇降手段により旧版胴の位置まで上昇させて版胴支持具に版胴を支持させた状態でチャッキングコーンを外して印刷ユニット間に台車を搬出し、次に版胴台を旋回手段により１８０度旋回させると共に新版胴を台車に設けられた上下位置決め具によりチャッキングコーンの高さ方向の中心となる位置に昇降手段を用いて昇降させて位置決めし、次に新版胴をチャッキングコーン間に搬入し、チャッキングコーンを装着し、その後に旧版胴が積載された台車を印刷ユニット外に移動させることにより新旧の版胴交換作業は完了するために、短い動線距離で、かつ、容易に新旧の版胴交換ができるという効果を奏するものである。
【０００８】
また、印刷ユニットもしくは印刷ユニットの床面に、版胴交換台車の搬入位置を決める版胴交換台車位置決め具を設けておくことにより、チャッキングコーンに対する版胴の前後位置を一発で決めることができるために、新旧の版胴交換を一層容易なものとすることができるという効果を奏するものである。
【発明を実施するための最良の形態】
【０００９】
上記の本発明について、図面等を用いて以下に詳述する。
図１は本発明にかかる版胴交換台車の一実施例を概略的に示す（Ａ）は正面図、（Ｂ）は平面図、（Ｃ）は側面図、図２は本発明にかかる版胴交換台車の版胴台保持具に旋回可能に取り付けられた円盤および版胴台の構造を説明する分解斜視図、図３（Ａ）〜図３（Ｉ）は本発明にかかる版胴交換台車の版胴交換作業を説明する側面図、図４は図３（Ａ）図に対応する斜視図であり、図中の１は版胴交換台車、２は台車本体、３は版胴台保持具、４は版胴台、５は版胴交換台車の位置決め具、２０は車輪、２１は昇降ハンドル、２２はラック、２３はピニオン軸、２４は指示具、３１は円盤、３２は凹部、３３はストッパー、３４は目盛り板、４０は軸板部、４１は端板部、４２は樹脂製コロ、４３は水平位置決め具、３１０はボス、３１１はスラストワッシャー、３１２は座金、ＫＨは旧版胴、ＳＨは新版胴、ＣＣはチャッキングコーンをそれぞれ示す。
【００１０】
図１は本発明にかかる版胴交換台車の一実施例を概略的に示す（Ａ）は正面図、（Ｂ）は平面図、（Ｃ）は側面図であり、版胴交換台車１は版胴を交換すべき印刷ユニットの前に移動可能な車輪２０が取り付けられた台車本体２と、該台車本体２に取り付けられたラックピニオンからなる昇降手段により昇降ハンドル２１を回転させることにより、ピニオン軸２３が回転して左右両側に設けられたピニオン（図示せず）によりラック２２が昇降し、このラック２２に取り付けられた版胴台保持具３が昇降するように構成されている。
【００１１】
また、前記版胴台保持具３に水平方向に自在に旋回する旋回手段としての円盤３１が設けられ、該円盤３１に軸板部４０とこの両端に前記軸板部４０に直交する方向に設けられた端板部４１とからなる略Ｈ字形状の版胴台４がその軸板部４０の略中央部で固定され、前記版胴台４が水平方向に前記円盤３１を介して自在に旋回可能となっている。
【００１２】
また、前記円盤３１に固定された前記版胴台４の前記軸板部４０に直交する方向の前記円盤３１の中心点を結ぶ外周縁の対向する位置に凹部３２が設けられ、前記軸板部４０が両ラック２２を結ぶ方向に平行な状態において、前記凹部３２に挿入可能なストッパー３３が前記版胴台保持具３に設けられている。前記ストッパー３３は内蔵されたバネにより常時突出方向に付勢されている。
【００１３】
また、前記版胴台４の前記軸板部４０の両側の対向する前記端板部４１に版胴の周面を支持する回転可能な版胴支持具としての樹脂製コロ４２がそれぞれ２個ずつ設けられ、前記軸板部４０に対して対称な位置に平行に２本の版胴（図示せず）が積載できるように構成されている。
【００１４】
また、前記版胴台４の前記軸板部４０に前記軸板部４０の軸方向に平行な方向に出し入れ自在の水平位置決め具４３が設けられ、版胴の長さにより予め設定された長さだけ引き出し、引き出した水平位置決め具４３の基準点に版胴の端部を略一致させることにより、版胴交換台車の中心に版胴を積載することができるようになっていると共に、前記版胴台保持具３の一方のラック２２近傍に前記版胴台保持具３から垂設された目盛り板３４と前記一方のラック２２の外装ケースに前記目盛り板３４に対応した指示具２４とからなる上下位置決め具が設けられ、版胴（図示せず）の円周に対応した前記目盛り板３４に明示された数字に前記指示具２４を略一致させることにより、印刷ユニットに設けられたチャッキングコーンに対して版胴の円周面の中心が位置するように版胴を積載することができるようになっている。なお、図１で示す符号６は台車を移動させるために用いる把手、符号７は版胴の乗り越え防止板である。
【００１５】
図２は本発明にかかる版胴交換台車の版胴台保持具に旋回可能に取り付けられた円盤および版胴台の構造を説明する分解斜視図であって、前記版胴台４は前記円盤３１に対して前記円盤３１に設けた前記凹部３２を結ぶ線に対して直交するように４箇所でビス止めされて前記円盤３１と一体化される。前記円盤３１は中心部に円筒状のボス３１０が削り出しで形成され、このボスに回転可能に係合する円形状の孔を有するスラストワッシャー３１１を介して版胴台保持具３に回転可能に取り付けられるが、この取り付け方法としては前記版胴台保持具３に前記ボス３１０と回転可能に係合する円形状の孔とこの孔に連接してこの孔より同心円として広く形成された前記円盤３１が上部に抜けることを防止するために用いる座金３１２を受け入れる孔とが形成され、前記ボス３１０の円筒面に形成された螺子孔（図示せず）に前記座金３１２を介してビス止めすることにより前記円盤３１が回転可能に前記版胴台保持具３から抜けることがないように取り付けられる。なお、説明においては、前記スラストワッシャー３１１を用いて、前記円盤３１が摺動しながら回転するように構成したが、前記スラストワッシャー３１１に代えて、ベアリングやスライドプレートを介して回転可能に構成してもよいものである。
【００１６】
図３（Ａ）〜図３（Ｉ）は本発明にかかる版胴交換台車の版胴交換作業を説明する側面図、図４は図３（Ａ）図に対応する斜視図であって、図４ないし図３（Ａ）は印刷が完了し、旧版胴ＫＨがチャッキングコーンＣＣに装着された状態に保持された印刷ユニットに台車に設けられた水平位置決め具（図示せず）により台車に対して中心となる位置（印刷ユニットに設けられたチャッキングコーンＣＣ間にスムーズに搬入できる位置）に新版胴ＳＨを積載した版胴交換台車１を搬入し、図３（Ｂ）に示すように版胴台に設けられた空の版胴支持具を旧版胴ＫＨの下部に搬入する。次に図３（Ｃ）に示すように空の版胴支持具を昇降手段により旧版胴ＫＨの位置まで上昇させて版胴支持具に旧版胴ＫＨを支持させた状態でチャッキングコーンＣＣを外し、図３（Ｄ）に示すように印刷ユニット間に台車１を搬出し、次に、版胴台保持具に設けられたストッパーを版胴台保持具に設けられた旋回手段としての円盤の凹部から外して図３（Ｅ）に示すように版胴台を１８０度旋回させて図３（Ｆ）に示すように新版胴ＳＨをチャッキングコーンＣＣ側に移動させ、この状態で円盤の凹部にストッパーを挿入して円盤を旋回できない状態に固定する。次に、新版胴ＳＨを台車に設けられた上下位置決め具によりチャッキングコーンＣＣの高さ方向の中心となる位置に昇降手段を用いて昇降させて位置決めし、図３（Ｇ）に示すように台車１を移動させて新版胴ＳＨをチャッキングコーンＣＣ間に搬入してチャッキングコーンＣＣを装着し、その後に図３（Ｈ）に示すように昇降手段を用いて版胴支持具を下降させ、図３（Ｉ）に示すように旧版胴ＫＨが積載された台車１を印刷ユニット間に搬出すると共に印刷ユニット外に移動させることにより新旧の版胴交換作業は完了する。このように短い動線距離で、かつ、新旧の版胴を容易に交換をすることができる。
【００１７】
また、上記した版胴交換作業において説明しなかったが、図４においては、版胴交換台車をチャッキングコーン間へ搬入する際の版胴交換台車の搬入位置を決める略Ｌ字状の位置決め具５を床面に設けたものを示したが、この位置決め具５を床面に設けることにより、版胴交換台車１の車輪をこの位置決め具５にセッティングするだけで、チャッキングコーンに対する版胴の前後方向の位置決めもすることができるので、一層版胴交換作業を容易なものとすることができる。また、この位置決め具５は、図示はしないが印刷ユニット、たとえば、印刷ユニットのフレームに設けるようにしてもよいものである。
【図面の簡単な説明】
【００１８】
【図１】本発明にかかる版胴交換台車の一実施例を概略的に示す（Ａ）は正面図、（Ｂ）は平面図、（Ｃ）は側面図である。
【図２】本発明にかかる版胴交換台車の版胴台保持具に旋回可能に取り付けられた円盤および版胴台の構造を説明する分解斜視図である。
【図３】（Ａ）〜（Ｉ）は本発明にかかる版胴交換台車の版胴交換作業を説明する側面図である。
【図４】図３（Ａ）図に対応する斜視図である。
【符号の説明】
【００１９】
１                                    版胴交換台車
２                                    台車本体
３                                    版胴台保持具
４                                    版胴台
５                                    版胴交換台車の位置決め具
２０                                  車輪
２１                                  昇降ハンドル
２２                                  ラック
２３                                  ピニオン軸
２４                                  指示具
３１                                  円盤
３２                                  凹部
３３                                  ストッパー
３４                                  目盛り板
４０                                  軸板部
４１                                  端板部
４２                                  樹脂製コロ
４３                                  水平位置決め具
３１０                                ボス
３１１                                スラストワッシャー
３１２                                座金
ＫＨ                                  旧版胴
ＳＨ                                  新版胴
ＣＣ                                  チャッキングコーン
【図１】
2006175702.tif 000003
【図２】
2006175702.tif 000004
【図３】
2006175702.tif 000005
【図４】
2006175702.tif 000006